(57)【特許請求の範囲】
【請求項１】
ノック式シャープペンシルにおいて、芯を収容するための芯タンクの底面に形成され、芯タンク下方に連設される芯ガイド部に続いている、芯１本は通過できるが２本は通過できない小孔から、芯タンク内の芯を１本づつ落下させて案内するようにした芯取出し機構に代えて、芯タンク底面下方の芯ガイド部に横方向に段付状の円孔が貫通されると共に該円孔には、一端部は小径の操作突部をなす段付状円柱部材の芯通過本体が摺動可能かつ回動不能に嵌合され、他端部は圧縮コイルばねにより常時一端部側向きに押圧されると共に前記円孔の開口端には芯通過本体の往復動を所定の微少距離に制限する調整ねじが設けられ、前記一端部側の操作突部は芯ガイド部を突き抜け、軸本体から突出されると共に軸本体にはノックボタンの操作時に操作突部の縦方向の移動に支障をきさないよう長孔が形成されており、さらに芯通過本体の中間部には芯１本は通過できるが２本は通過できない芯挿通孔が上下方向、かつ直径方向に設けられ、さらに芯タンク底面の中央部付近から少なくとも少量の芯が落下できる程度に形成された落下孔は、前記円孔と交差し、かつ芯挿通孔が落下孔の略中心に位置し、芯挿通孔を通り抜けた１本の芯は芯ガイド部内の孔に導かれチャッキング部を経て、先端のガイドパイプに至るように構成されてなり、芯が損傷しない程度に芯通過本体の微細往復動のストロークを調整した後、芯通過本体の操作突部の押し込みと開放を繰り返すことにより微細な往復動による横方向のショックや振動を与え、あるいはノックボタンの押し込みと開放の繰り返しによる縦方向のショックや振動を併せることにより通常より多くの芯を芯タンク内に補給したときでも、１本づつシャープペンシルの先端部まて滞ることなく送給できるようにしたシャープペンシル。
【請求項２】
請求項１記載のシャープペンシルにおいて芯通過本体の微細往復動のストロークは１〜２ｍｍ以下であるシャープペンシル。
【請求項３】
請求項１または２記載のシャープペンシルにおいて、芯タンク底面の芯の落下孔は少なくとも数本の芯が落下できる程度に形成されたものであるシャープペンシル。
【発明の詳細な説明】
【技術分野】
【０００１】  本発明は、シャープペンシルに関するものであり、特に芯タンクの底面部から芯を１本づつを順次次ぎに送給するための芯挿通孔を設けた芯通過本体について、横方向の微細往復動のストロークを所定の微細長さに制限し、手動操作により横方向のショックや振動を与え、芯１本づつの取り出し、シャープペンシルの先端部に送給することを容易にしたシャープペンシルに関するものである。。
【背景技術】
【０００２】  シャープペンシルにおいて、芯を補充する操作は煩わしく手間がかかるという理由から、多量の芯を収容した替芯ケースを用意し、一度に多数の芯を芯タンクに補給できるようにしたシャープペンシルが提案されている。特許文献１に記載するシャープペンシルがこれである。
【先行技術文献】
【特許文献】
【０００３】
【特許文献１】特開１０−１６４７６号公報
【非特許文献】
【０００４】
【非特許文献１】「シャープペンシル使用注意事項」（日本筆記具工業会のホームページより抜粋）
【発明の概要】
【発明が解決しようとする課題】
【０００５】  ところが、このようなシャープペンシルでは、替芯ケースから出た多数の芯が芯タンク内に溜まることになり、芯タンクの底面側に形成され芯１本づつ落下させるようにした芯ガイド部の入り口周辺でせめぎ合を生じ、芯の入り口を塞ぐようになり、芯が落下しないので、シャープペンシルの先端部まで芯を供給することができず、結局筆記不可能な状態になるという不都合な結果となる。これを解消するには、一度に補給する芯の本数をかなり制限することが必要であることが知られている。しかし、これでは、芯補給の煩わしさや、手間を省くため替え芯ケースを使用して、多くの芯を補給しようとしたことが無意味になっしまうという問題点がある。
【課題を解決するための手段】
【０００６】  本発明はこのような問題点を解決するためになされたものであり、次のように構成される。
（１）  ノック式シャープペンシルにおいて、芯を収容するための芯タンクの底面に形成され、芯タンク下方に連設される芯ガイド部に続いている、芯１本は通過できるが２本は通過できない小孔から、芯タンク内の芯を１本づつ落下させて案内するようにした芯取出し機構に代えて、芯タンク底面下方の芯ガイド部に横方向に段付状の円孔が貫通されると共に該円孔には、一端部は小径の操作突部をなす段付状円柱部材の芯通過本体が摺動可能かつ回動不能に嵌合され、他端部は圧縮コイルばねにより常時一端部側向きに押圧されると共に前記円孔の開口端には芯通過本体の往復動を所定の微少距離に制限する調整ねじが設けられ、前記一端部側の操作突部は芯ガイド部を突き抜け、軸本体から突出されると共に軸本体にはノックボタンの操作時に操作突部の縦方向の移動に支障をきさないよう長孔が形成されており、さらに芯通過本体の中間部には芯１本は通過できるが２本は通過できない芯挿通孔が上下方向、かつ直径方向に設けられ、さらに芯タンク底面の中央部付近から少なくとも少量の芯が落下できる程度に形成された落下孔は、前記円孔と交差し、かつ芯挿通孔が落下孔の略中心に位置し、芯挿通孔を通り抜けた１本の芯は芯ガイド部内の孔に導かれチャッキング部を経て、先端のガイドパイプに至るように構成されてなり、芯が損傷しない程度に芯通過本体の微細往復動のストロークを調整した後、芯通過本体の操作突部の押し込みと開放を繰り返すことにより微細な往復動による横方向のショックや振動を与え、あるいはノックボタンの押し込みと開放の繰り返しによる縦方向のショックや振動を併せることにより通常より多くの芯を芯タンク内に補給したときでも、１本づつシャープペンシルの先端部まて滞ることなく送給できるようにしたシャープペンシル。
（２）  （１）項記載のシャープペンシルにおいて芯通過本体の微細往復動のストロークは１〜２ｍｍ以下であるシャープペンシル。
（３）  （１）項または（２）項記載のシャープペンシルにおいて、芯タンク底面の芯の落下孔は少なくとも数本の芯が落下できる程度に形成されたものであるシャープペンシル。
ここに、「ノック式シャープペンシル」とは、シャープペンシル自体の軸本体内に、芯を格納するための芯タンクとその底部に連接され芯タンク内の芯を１本づつ落下させて案内するようにした芯ガイド部とが配置され、さらに芯ガイド部の先端側にはチャック部が設けられ、常時芯はチャック部により保持され、芯タンク端末のノックボタンをノックすることによりチャック部が緩むと共に芯はシャープペンシル先端のガイドパイプから所定長さ送出されるようにしたシャープペンシルを意味するものである。
【発明の効果】
【０００７】  芯タンクの底面から落下した複数の芯は、芯タンク下方の芯ガイド部に横方向に形成された円孔内に摺動可能に嵌合され、かつ微細な往復動が可能とされている芯通過本体の中間部に形成された芯１本づつを通過できる芯挿通孔の入り口周辺に落下することになるが、芯通過本体は一端部側の操作突部が常時軸本体の外方に突出するように他端部側から圧縮コイルばねにより押圧されているので、操作突部の押し付けと開放を繰り返せば、前記芯挿通孔は横方向のショックと振動を受けることになり、その上に落下した芯は芯挿通孔内を通過し易くなる。従って、芯挿通孔周辺に通常より多く芯が存在する場合においても、芯のせめぎ合が生じ難くなり、滞りなく芯の送給を続けることが期待できる効果がある。
【図面の簡単な説明】
【０００８】
【図１】（イ）は本発明の実施例を示すシャープペンシルの正面図、（ロ）は同実施例の一部を省略した右側面図である。
【図２】同実施例の要部を示す部分拡大断面図である。
【発明を実施例するための形態】
【０００９】    芯タンク内に通常より多く芯を補給した場合においても、芯同士のせめぎ合を回避し、芯１本づつを取り出して滞りなく送給するという目的を、芯タンクから落下した芯を１本づつ通過すことができる芯挿通孔を形成した部材（芯通過本体）を、微細な往復動をさせ得るようにして、手動操作により横方向のショックと振動を与え、挿通孔上に乗っかかった芯が挿通孔内に入り込み易くなるように構成することにより実現した。
【実施例】
【００１０】  以下本発明の実施例を図面に基づいて説明する。図１において、１０は本願発明の実施例に係るシャープペンシルであり、軸本体１２の上端側に見えているノックボタン１３をノックすることにより、シャープペンシルの先端部から芯がせり出してきて筆記可能な状態になる。この点では、一般のノック式シャープペンシルと同様であり、同じような機構を有する。【００１１】  しかし、本実施例では、図２に示すように、軸本体１２の内部には、芯を格納するための芯タンク１４と、その下方に位置し芯タンクから取り出した芯をシャープペンシルの先端側に送給するための部分を含む芯ガイド部１６とからなる部材が、軸本体１２の軸心方向に上下に移動できるように配置されると共に芯タンク１４の上端側の開口部は、ノックボタン１３を設けたキャップ（図示省略）により蓋がされている。【００１２】  芯タンク１４の底面は図２に示すように、中心部が低くなるように傾斜したテーパー状の斜面を有し、その中心部から小さな落下孔１５が芯ガイド部１６内に続けて形成されている。さらに、芯タンク１４の底面下方の芯ガイド部１６を含む部分には横方向に貫通された段付き状の円孔２２に、小径部が操作突部２４をなす段付き円柱状の芯通過本体２６が摺動可能、かつ回動不能に嵌合されている。回動すると、芯挿通孔２８が傾き芯が挿通できなくなるからである。【００１３】  芯通過本体２６の中間部には１本の芯が通過できるが２本は通過できない芯挿通孔２８が直径方向、かつ、上下方向に設けられている。芯挿通孔２８は上下方向を向かず、また傾いても芯が挿通できないからである。芯通過本体２６は一端側から操作突部２４側に向かって常時圧縮コイルばね３０により付勢されると共に円孔２２のコイルばね３０の装着側寄りの開口端には、調整ねじ３２が設けられ、芯通過本体２６の端部に当接させてその往復動のストロークを制限し、微細な長さに調節できるようにされている。操作突部２４は円孔２２の段付き部側から外側に突出すると共に軸本体１２の外側に一定長さ突出されているので、これを押し込んだり、離したりを繰り返すと、芯通過本体２６は微細な往復動をし、その芯挿通孔２８も往復動を繰り返すので、芯挿通孔に乗っかかった芯は、挿通孔内に入り易くなり、芯１本づつの取り込みが行われることになる。なお、操作突部２４は、ノックボタン１３を押したとき軸本体１２に対して、相対的に移動ずるので、その動作に支障を生じないように、軸本体１２から突出する部分は長孔３４となっている。
また、前述のように往復動のストロークは微細に調節できるので、芯が損傷することはない。しかし、その調節は、芯が折れないように注意深く行うことが望ましい。
なお、芯挿通孔２８の上部の入り口は、常に芯タンク１４底面の中央部に連接する落下孔１５内に位置して、常時開放されると共に前記落下孔１５の中央部の下方に位置されている。【００１４】    以上本発明の一実施例について説明したが、本発明はこのような実施例に何ら限定されるものではなく、本発明の要旨を逸脱しない範囲において種々なる態様で実施し得ることは勿論である。
【符号の説明】
【００１５】１０  シャープペンシル
１２  軸本体
１３  ノックボタン
１４  芯タンク
１５  落下孔
１６  芯ガイド部
２２  円孔
２４  操作突部
２６  芯通過本体
２８  芯挿通孔
３０  圧縮コイルばね
【図１】
0005448282.tif 000002
【図２】
0005448282.tif 000003